(57)【特許請求の範囲】
【請求項１】
車軸の端部に固定されたハブと、
前記ハブに取り外し自在に連結された駆動輪と、を備え、
前記ハブに、前記駆動輪を連結する取付部を前記駆動輪の回転方向に沿って複数備えると共に、前記取付部に、前記駆動輪の駆動軸芯の径方向面に沿い、かつ、前記駆動軸芯方向において間隔を開けて配設された少なくとも二以上の取付面を備え、
前記ハブに、前記ハブの外周部から前記駆動軸芯の径外方向に突出する案内部を備え、
前記駆動輪の前記ハブへの連結を解除した状態において前記案内部の外周面に対して前記駆動輪のうち前記取付部に連結される箇所以外の非連結部の内周面を摺動させることで、前記駆動輪を前記二以上の取付面に亘って前記駆動軸芯に沿ってスライド移動可能なように、かつ、前記駆動輪を前記駆動軸芯周りに回動可能なように、前記案内部の外径と前記非連結部の内径とを設定してある作業車。
【請求項２】
前記取付部及び前記案内部を、前記取付部の外径と前記案内部の外径とが同一となる状態で、前記ハブの外周部から前記駆動軸芯の径外方向に一体的に突出形成し、
前記取付部の外周面及び前記案内部の外周面によって連続する摺動面を構成し、
前記非連結部の内周面は、前記摺動面に対して摺動可能である請求項１に記載の作業車。
【請求項３】
前記摺動面に、前記駆動軸芯の径外方向に突出するストッパ部を備え、
前記非連結部が前記ストッパ部に当接すると、前記駆動輪のスライド移動が規制される請求項２に記載の作業車。
【請求項４】
前記取付部及び前記案内部を、前記ハブの外周部から前記駆動軸芯の径外方向に一体的に突出形成し、前記二以上の取付面を階段状に連続配置してある請求項１から３の何れか一項に記載の作業車。
【請求項５】
トラックフレームと、前記トラックフレームの前後端部に夫々配設された前従動輪及び後従動輪と、前記前従動輪と前記後従動輪との間において前記トラックフレームに配設された遊転輪と、を備え、前記駆動輪、及び、前記前従動輪、前記遊転輪、前記後従動輪にクローラベルトを巻き回して、クローラ走行装置を構成してある請求項１から４の何れか一項に記載の作業車。
【発明の詳細な説明】
【技術分野】
【０００１】
本発明は、トレッドを変更可能な作業車に関する。
【背景技術】
【０００２】
従来、左右一対の前輪及び後輪で機体を支持してある作業車において、または、左右一対の前輪で機体の前部を支持すると共に左右一対のクローラ式走行装置で機体の後部を支持してある作業車において、トレッド変更可能なものとして、特許文献１や特許文献２に記載のトラクタがあった。
【０００３】
特許文献１に記載のトラクタでは、クローラベルトの左右方向の中心を、駆動輪等の左右方向の中心からオフセットさせてあり、クローラベルトを左右反転させることにより、クローラ走行装置のトレッドを変更可能にしていた。また、特許文献１に記載のトラクタでは、前輪の左右方向の中心を、前輪ホイールを取り付ける部分の左右方向の中心からオフセットさせてあり、前輪を左右反転させることにより、前輪のトレッドを変更可能にしていた。
【０００４】
特許文献２に記載のトラクタでは、前輪リムの内周面に、前進回転方向に沿って左右方向外側から内側に螺旋状に移行する複数本の螺旋形レールを備え、前車軸の外端に固定されたディスクに、螺旋形レールに沿って摺動可能かつ螺旋形レールに対して固定可能なクランパーを備えている。これにより、クランパーの固定を解除した状態において前輪を回転させると、クランパーが螺旋形レールに沿って摺動して、前輪が左右方向外側または内側に移動し、トレッドを変更することができる。
【先行技術文献】
【特許文献】
【０００５】
【特許文献１】特開２００３−９５１５４号公報（段落［００１８］、段落［００２６］、図３、図５、図６）
【特許文献２】特開平７−２４６８０３号公報（段落［００１４］、段落［００１６］、段落［００１７］、段落［００１９］、図２乃至図６）
【発明の開示】
【発明が解決しようとする課題】
【０００６】
しかしながら、特許文献１においては、トレッドを変更する際には、車輪を外して左右反転したり、クローラベルトを外して左右反転したりする必要があるため、作業が大掛かりであった。このため、使用者が一人で簡単に作業することができず、サービスセンター等でトレッド変更してもらうこととなり、手間や時間を要する虞があった。
【０００７】
また、特許文献２に記載のトラクタにおいては、クランパーと螺旋形レールとを複数箇所で固定する構成であるため、クランパーと螺旋形レールとが全て平行かつ均一に接触しなければ、固定用のボルトの締付力にバラつきが生じて、長時間の走行により締付力の弱いボルトに緩みが生じ得る。ところが、特許文献２に記載のトラクタでは、螺旋形レールが車輪の回転方向に対して傾いているため、クランパーと螺旋形レールとを全て均一に平行に接触させるのは難しく、ボルトの緩みが生じる虞があった。
【０００８】
また、特許文献２に記載の技術は、ボルトの締付によってクランパーを螺旋形レールに押付けて固定する構成であるため、ボルトをクランパー及び螺旋形レールに貫通させる構成と比較して、ボルトが緩むとクランパーは螺旋形レールに沿って相対移動し易い。このため、特許文献２に記載のトラクタにおいては、回り止めのストッパを螺旋形レールにボルト固定する構成としており、部品点数や、車輪の連結及び連結解除の作業工数が多かった。
【０００９】
本発明の目的は、このような実情に鑑み、簡単に駆動輪のトレッドを変更することが可能であり、かつ、駆動輪の連結が確実な作業車を提供することにある。
【課題を解決するための手段】
【００１０】
本発明の特徴は、
車軸の端部に固定されたハブと、前記ハブに取り外し自在に連結された駆動輪と、を備え、前記ハブに、前記駆動輪を連結する取付部を前記駆動輪の回転方向に沿って複数備えると共に、前記取付部に、前記駆動輪の駆動軸芯の径方向面に沿い、かつ、前記駆動軸芯方向において間隔を開けて配設された少なくとも二以上の取付面を備え、前記ハブに、前記ハブの外周部から前記駆動軸芯の径外方向に突出する案内部を備え、前記駆動輪の前記ハブへの連結を解除した状態において前記案内部の外周面に対して前記駆動輪のうち前記取付部に連結される箇所以外の非連結部の内周面を摺動させることで、前記駆動輪を前記二以上の取付面に亘って前記駆動軸芯に沿ってスライド移動可能なように、かつ、前記駆動輪を前記駆動軸芯周りに回動可能なように、前記案内部の外径と前記非連結部の内径とを設定してある点にある。
【００１１】
本発明によると、取付部は、駆動軸芯方向において間隔を開けて配設された少なくとも二以上の取付面、即ち、多段状の取付面を有し、この取付部をハブに備えているため、駆動輪をハブに沿って駆動軸芯方向に移動させることで、簡単に駆動輪のトレッドを段階的に変更することができる。また、各取付面が駆動軸芯の径方向面に沿っているため、取付面に対して駆動輪の取付部分を面合わせし易く、取付面と駆動輪の取付部分とを平行かつ均一に接触させ易くなり、駆動輪をハブに確実に連結することができる。また、ハブに多段状の取付面を有してトレッド変更を可能としてあるので、駆動輪の側にトレッド変更を可能にするための加工、例えば、オフセットのためのプレス加工をする必要がない。
【００１２】
さらに、本発明によれば、駆動輪の内周面を案内部の外周面に沿わせながら駆動輪を駆動軸芯方向に移動させることで、駆動輪を連結する取付面を楽に変更することができる。即ち、本特徴構成であれば、簡単に駆動輪のトレッドを変更することができる。また、案内部をハブの外周部から径外方向に突出形成してあるので、案内部をハブの外周部から径内方向に凹入して形成する場合等と比較して、ハブの構成が複雑とならない。
【００１３】
なお、本発明において、駆動輪とは、前輪ホイール、後輪ホイール、クローラ走行装置の駆動スプロケット等を意味するものとする。
【００１４】
本発明においては、
前記取付部及び前記案内部を、前記取付部の外径と前記案内部の外径とが同一となる状態で、前記ハブの外周部から前記駆動軸芯の径外方向に一体的に突出形成し、前記取付部の外周面及び前記案内部の外周面によって連続する摺動面を構成し、前記非連結部の内周面は、前記摺動面に対して摺動可能であるであると好適である。
本構成であれば、取付部をハブの外周部から駆動軸芯の径外方向に突出形成してあるので、取付部をハブの外周部から径内方向に凹入して形成する場合等と比較して、ハブの構成が複雑とならず、また、駆動輪をハブに対して位置合わせしやすい。
本発明においては、
前記摺動面に、前記駆動軸芯の径外方向に突出するストッパ部を備え、前記非連結部が前記ストッパ部に当接すると、前記駆動輪のスライド移動が規制されると好適である。
本発明においては、
前記取付部及び前記案内部を、前記ハブの外周部から前記駆動軸芯の径外方向に一体的に突出形成し、前記二以上の取付面を階段状に連続配置してあると好適である。
本構成であれば、取付部と案内部とを一体形成して、二以上の取付面を階段状に連続配置してあるため、間隔を開けて配設された取付面同士が、案内部を構成する部分によって駆動軸芯方向に連結されることとなる。即ち、取付部と案内部とが互いに補強し合って、取付部及び案内部の全体としての駆動軸芯方向の剛性及び周方向の剛性が高まる。
本発明においては、
トラックフレームと、前記トラックフレームの前後端部に夫々配設された前従動輪及び後従動輪と、前記前従動輪と前記後従動輪との間において前記トラックフレームに配設された遊転輪と、を備え、前記駆動輪、及び、前記前従動輪、前記遊転輪、前記後従動輪にクローラベルトを巻き回して、クローラ走行装置を構成してあると好適である。
【００１５】
本構成のように、駆動輪、及び、前従動輪、遊転輪、後従動輪にクローラベルトを巻き回したクローラ走行装置のうちの駆動輪に本発明を適用すると、クローラベルトを取り外す等の大掛かりな作業が不要となり、トレッドを変更する作業を大幅に簡素化することができる。
【００１６】
【００１７】
【００１８】
【００１９】
【００２０】
【００２１】
【図面の簡単な説明】
【００２２】
【図１】本発明に係るトラクタの全体側面図である。
【図２】本発明に係るクローラ走行装置の側面図である。
【図３】トレッドがＷＳのときの左右のクローラ走行装置の背面図である。
【図４】本発明に係るハブの斜視図である。
【図５】ハブに対するディスクの取付要領を示す多段リブの背面図である。
【図６】後車軸、ハブ、及び、ディスクの組付要領を示す分解斜視図である。
【図７】左側のクローラ走行装置、後車軸、及び、油圧シリンダ付近の拡大背面図である。
【図８】左側のトラックフレームの後車軸ケースへの支持要領を示す分解斜視図である。
【図９】トレッドがＷＭのときの左右のクローラ走行装置の背面図である。
【図１０】トレッドがＷＬのときの左右のクローラ走行装置の背面図である。
【図１１】図７におけるＸＩ−ＸＩ方向の油圧シリンダ付近の横断上面図である。
【図１２】図７におけるＸＩＩ−ＸＩＩ方向の断面図であって、右側のトラックフレームが水平のときの右側融通機構付近の縦断側面図である。
【図１３】（ａ）は、図１２の状態から右側のトラックフレームが後方へ揺動したときの右側融通機構付近の縦断側面図であり、（ｂ）は、図１２の状態から右側のトラックフレームが前方へ揺動したときの右側融通機構付近の縦断側面図である。
【図１４】カラー付近の縦断側面図である。
【図１５】第一別実施形態に係るカラーを示す図であって、（ａ）は縦断側面図であり、（ｂ）は分解斜視図である。
【図１６】第二別実施形態に係るハブとディスクとの分解斜視図である。
【図１７】第二別実施形態に係るハブに対するディスクの取付要領を示す取付部の背面図である。
【図１８】第三別実施形態に係る融通機構及び油圧シリンダ付近の拡大背面図である。
【図１９】第三別実施形態に係る融通機構の分解斜視図である。
【図２０】第三別実施形態において、右側のトラックフレームが水平のときの右側融通機構付近の縦断側面図である。
【図２１】第三別実施形態において、（ａ）は、図２０の状態から右側のトラックフレームが後方へ揺動したときの右側融通機構付近の縦断側面図であり、（ｂ）は、図２０の状態から右側のトラックフレームが前方へ揺動したときの右側融通機構付近の縦断側面図である。
【図２２】本発明に係る連結具を取付けたときの駆動スプロケットの側面図である。
【図２３】本発明に係る連結具を取付けたときの駆動スプロケットの縦断背面図である。
【図２４】本発明に係る連結具の取付構成を示す分解斜視図である。
【発明を実施するための形態】
【００２３】
以下、本発明を、機体前部を左右一対の前輪ＦＷによって支持し、機体後部を左右一対のクローラ走行装置Ｒによって支持してあるセミクローラ型のトラクタ（作業車の一例）に適用した例を図面に基づいて説明する。
【００２４】
〔トラクタの概要〕
本トラクタは、４輪駆動型のトラクタをセミクローラ型に仕様変更したものであって、図１に示すごとく、キャビンＣ付きの機体Ｍの前部に操向可能な左右一対の前輪ＦＷを備えると共に、機体Ｍの後部に主推進装置として左右一対のクローラ走行装置Ｒを備えている。また、機体Ｍの後部には、不図示の三点リンク機構を介して耕耘装置や収穫装置等の各種の中間管理用の作業装置を連結可能である。
【００２５】
〔クローラ走行装置の概要〕
図３に示すごとく、後車軸ケースＢＣが、ミッションケースＭＣの後部の右横側部及び左横側部から機体左右方向に夫々延設されている。この左右一対の後車軸ケースＢＣに機体左右方向向きに本発明に係る「車軸」としての後車軸ＢＸを支持してある。図２及び図３に示すように、クローラ走行装置Ｒは、後車軸ＢＸの端部に固定されたハブ１と、ハブ１に取り外し自在に連結された本発明に係る「駆動輪」としての駆動スプロケット２と、後車軸ＢＸを支持する後車軸ケースＢＣに支持されたトラックフレーム３と、トラックフレーム３の前後端部に夫々配設された前従動輪６及び後従動輪７と、前従動輪６と後従動輪７との間においてトラックフレーム３に配設された複数の遊転輪８と、駆動スプロケット２、及び、前従動輪６、複数の遊転輪８、後従動輪７に亘って巻き回されたクローラベルト９と、を備えている。
【００２６】
図２に示すごとく、駆動スプロケット２は、前従動輪６と後従動輪７との中間位置で、かつ、遊転輪８の上方側に配設され、クローラ走行装置Ｒは側面視で略三角形状に構成されている。前従動輪６は、トラックフレーム３の前端上部に固定支持されたテンション調整機構Ｔの前側自由端に回転自在に支持され、クローラベルト９のテンションを調整する。後従動輪７は回転自在にトラックフレーム３の後端部に支持されている。なお、テンション調整機構Ｔは公知のスプリング式のものであるので詳述しない。
【００２７】
後述するように、駆動スプロケット２をハブ１上で機体左右方向に移動可能に構成すると共に、トラックフレーム３を機体左右方向にスライド移動可能に構成することにより、クローラベルト９を外す等大掛かりな作業を行うことなく、クローラ走行装置Ｒのトレッドを変更することができる。本実施形態では、図３、図９、及び、図１０に示すごとく、トレッドを、狭い幅の「ＷＳ」と中間の幅の「ＷＭ」と広い幅の「ＷＬ」との三段階に変更可能である。
【００２８】
〔駆動スプロケット及びハブの構成〕
図２に示すごとく、駆動スプロケット２は、環状かつフラット形状のディスク２Ｂと、同じく環状かつフラット形状のスプロケット２Ａとを備え、後車軸ＢＸと一体となって駆動軸芯Ｘ回りに回転駆動可能である。ディスク２Ｂは、ハブ１の外周部１１に取り外し自在に外装固定されている。スプロケット２Ａは、ディスク２Ｂの外周面にボルト固定され、クローラベルト９と咬み合って後車軸ＢＸの回転駆動力をクローラベルト９に伝達する。スプロケット２Ａは、径が大径の鋳鉄製の部材であるが、周方向で三つの部材に等分割可能に構成することにより、金型の大型化を防止すると共に、一つの金型で製作できるようにしてある。
【００２９】
ハブ１は、図６に示すごとく、有底筒状の鋳鉄製の部材であって、その底部分を機体外側にした状態で、後車軸ＢＸの先端部に連結してある。後車軸ＢＸの先端部を鍔状に拡径して、その鍔部分に駆動軸芯Ｘ回りに複数のネジを一体的に備えてある。ハブ１の底部分には、後車軸ＢＸのネジに対応する車軸取付孔１８を穿孔してある。後車軸ＢＸの鍔部分の表面とハブ１の底部分の内側表面とを合わせ面として、ネジを車軸取付孔１８に貫通させ、駆動軸芯Ｘ方向外側からナットｎを締め付けてハブ１を後車軸ＢＸに固定してある。ハブ１の底部分を機体外側にしてあるので、圃場の泥土がハブ１の内部に侵入し難い。また、ハブ１の外周部１１のうち、後述する多段リブ１２を設けていない箇所を切欠いて、ハブ１の軽量化を図ると共に、ハブ１の内部に侵入した泥土を排出し易くしてある。
【００３０】
図４乃至図６に示すごとく、ハブ１の外周部１１に、径方向視で階段状に連続する多段リブ１２を、駆動スプロケット２の回転方向に沿って、即ち、駆動軸芯Ｘの周方向に沿って、径外方向に突出するよう、複数箇所に一体形成してある。本実施形態においては、多段リブは五箇所形成してある。多段リブ１２は、駆動軸芯Ｘの径方向面に沿った部分であって、ディスク２Ｂを固定する取付部１３と、駆動軸芯Ｘ方向に沿った部分であって、ハブ１への固定を解除したディスク２Ｂを駆動軸芯Ｘ方向に移動可能に案内する案内部１４と、を備えている。
【００３１】
取付部１３は、駆動軸芯Ｘ方向において間隔を開けて配設された第一取付面１３ａ、及び、第二取付面１３ｂ、第三取付面１３ｃを機体左右方向内側から順に夫々備えている。第一取付面１３ａ、第二取付面１３ｂ、及び、第三取付面１３ｃは、駆動軸芯Ｘの径方向面に沿って平行または略平行な面に形成されており、即ち、駆動軸芯Ｘに直交しており、かつ、取付部１３の機体左右方向内側に形成されている。
【００３２】
第一取付面１３ａ、第二取付面１３ｂ、及び、第三取付面１３ｃには、駆動軸芯Ｘ方向に沿ったディスク取付孔１９を夫々穿孔してある。円板状のディスク２Ｂの内周部の五箇所を径内方向に突出させて突出部２１を形成し、各突出部２１にハブ取付孔２２を開口してある。各突出部２１の周方向における配設ピッチは、各取付部１３の周方向における配設ピッチに一致させてある。
【００３３】
案内部１４は、取付部１３のうち第一取付面１３ａが形成された部分と第二取付面１３ｂが形成された部分とを連結すると共に、取付部１３のうち第二取付面１３ｂが形成された部分と第三取付面１３ｃが形成された部分とを連結している。案内部１４を形成することにより、多段リブ１２の外周面（本発明の「摺動面」に相当する）１２ａは駆動軸芯Ｘ方向において少なくとも第一取付面１３ａから第三取付面１３ｃに亘って連続している。即ち、外周面１２ａは、取付部１３の外周面でもあり、案内部１４の外周面でもある。
【００３４】
図４及び図５に示すごとく、多段リブ１２のうち第一取付面１３ａが形成された部分をさらに駆動軸芯Ｘ方向内側に折り曲げ、最内側部分を径外方向に突起させて第一ストッパ１６（本発明の「ストッパ部」に相当する）を形成してある。第一取付面１３ａと第一ストッパ１６とは、駆動軸芯Ｘ方向において、少なくともディスク２Ｂの突出部２１の厚みよりも広い間隔だけ離間させてある。
【００３５】
複数の多段リブ１２の外周面１２ａにおける外径は一律であって、ディスク２Ｂのうち取付部に連結される箇所（突出部２１）以外の非連結部２３の内周面における内径よりも僅かに小さい程度に設定してある。また、ディスク２Ｂの突出部２１の内径は、ハブ１の外周部１１の外径よりも大きく設定してある。よって、ディスク２Ｂにおける非連結部２３の内周面を多段リブ１２（案内部１４）の外周面１２ａに対して摺動させられるので、ディスク２Ｂを駆動軸芯Ｘに沿って機体左右方向にスライド移動させることも、駆動軸芯Ｘ回りに回転させることも容易である。
【００３６】
また、第一取付面１３ａを挟んで第一ストッパ１６の反対側において、ハブ１の外周部１１を径外方向にリブ状に突起させ、第二ストッパ１７を多段リブ１２に連接形成してある。第二ストッパ１７は、駆動軸芯Ｘ方向に沿った直線状に形成してある。第二ストッパ１７の径方向の高さは、ディスク２Ｂの突出部２１における内径とハブ１の外周部１１における外径との差よりも大きく設定してある。
【００３７】
さらに、各多段リブ１２は、周方向で互いに重なり合わない程度に近接して配置してある。また、駆動軸芯Ｘ方向において、第三取付面１３ｃと、隣合う多段リブ１２に連接された第二ストッパ１７とは、ディスク２Ｂの突出部２１の厚みよりも僅かに広い間隔だけ離間させてある。これにより、突出部２１が通過できる程度の狭い挿入口１５を形成してある。
【００３８】
駆動スプロケット２（ディスク２Ｂ）をハブ１に取り付けるときは、例えば、図５に一点鎖線矢印で示すごとく、突出部２１を挿入口１５を通して、例えば、突出部２１の駆動軸芯Ｘ方向外側面を第一取付面１３ａに面合わせし、回り止め付ボルトｂ２を駆動軸芯Ｘ方向内側からハブ取付孔２２及びディスク取付孔１９に挿入し、駆動軸芯Ｘ方向外側からナットｎを締め付ける。なお、ハブ取付孔２２は四角形状の孔であって、回り止め付ボルトｂ２の断面四角形状の中途部分が係合される構成となっている。よって、回り止め付ボルトｂ２が、締付時にナットｎと共回りせず、組付け作業性が良い。なお、案内部１４の外側面１４ａは、ナットｎを締め付ける回転工具の先端部の回転駆動軌跡をかわせるようにＲ状に凹入してある。
【００３９】
駆動スプロケット２のトレッドを変更する場合は、回り止め付ボルトｂ２とナットｎとを取り外し、ディスク２Ｂにおける非連結部２３の内周面を多段リブ１２の外周面１２ａ（取付部１３の外周面かつ案内部１４の外周面）に摺動させながら（図７参照）、ディスク２Ｂをハブ１に対して回転させつつ駆動軸芯Ｘ方向にスライド移動させる。そして、所望の取付面１３ａ，１３ｂ，１３ｃに突出部２１を面合わせし、再度回り止め付ボルトｂ２とナットｎとによってディスク２Ｂをハブ１に固定する。ディスク２Ｂの突出部２１を第一取付面１３ａに固定したときは、図３に示すごとく、駆動スプロケット２のトレッドは「ＷＳ」となり、突出部２１を第二取付面１３ｂに固定したときは、図９に示すごとく、トレッドは「ＷＭ」となり、突出部２１を第三取付面１３ｃに固定したときは、図１０に示すごとく、トレッドは「ＷＬ」となる。本実施形態においては、機体前後進方向において、前側から第一取付面１３ａ、第二取付面１３ｂ、第三取付面１３ｃの順に並ぶように多段リブ１２を配設してあるが、逆向きに配設してあっても構わない。
【００４０】
なお、各取付面１３ａ，１３ｂ，１３ｃが駆動軸芯Ｘの径方向面に沿って平行または略平行な面に形成されているため、各取付面１３ａ，１３ｂ，１３ｃに対して突出部２１を面合わせし易く、全ての各取付面１３ａ，１３ｂ，１３ｃと突出部２１とを平行かつ均一に接触させ易い。この結果、回り止め付ボルトｂ２またはナットｎを均一に締付けることができ、回り止め付ボルトｂ２またはナットｎの緩みが生じにくく、駆動スプロケット２をハブ１に確実に固定することができる。
【００４１】
ディスク２Ｂを駆動軸芯Ｘ方向外側から内側にスライドさせる際、過大な力を加えたとしても、ディスク２Ｂにおける非連結部２３の内周面が第一ストッパ１６に係止し、ディスク２Ｂがハブ１よりも駆動軸芯Ｘ方向内側に落ち込むことはない。なお、上述したように、第一取付面１３ａと第一ストッパ１６とは、駆動軸芯Ｘ方向において、ディスク２Ｂの突出部２１の厚みよりも広い間隔を離して配設されているので、突出部２１と第一取付面１３ａとの面合わせが第一ストッパ１６によって妨げられることはない。また、ディスク２Ｂを駆動軸芯Ｘ方向内側から外側に抜き出すには、突出部２１を狭い挿入口１５を通す必要があるため、挿入口１５以外の箇所では突出部２１が第二ストッパ１７に当接する。したがって、ディスク２Ｂが不測にハブ１から駆動軸芯Ｘ方向外側に抜け出すことはない。
【００４２】
以上の構成によれば、駆動スプロケット２（ディスク２Ｂ）をハブ１に沿って駆動軸芯Ｘ方向にスライドさせるだけで、簡単に駆動スプロケット２の駆動軸芯Ｘ方向の位置を段階的に変更することができ、トレッドを「ＷＳ」と「ＷＭ」と「ＷＬ」とに変更できる。また、従来のような駆動スプロケット２を左右反転させるといった大掛かりな作業が不要となり、クローラ走行装置Ｒのトレッドを変更する作業が大幅に簡素化される。
【００４３】
また、鋳物により多段リブ１２をハブ１の外周部１１から駆動軸芯Ｘの径外方向に突出形成してあるため、研磨加工するのは各取付面１３ａ，１３ｂ，１３ｃと外周面１２ａとだけで良く、ハブ１を径内方向に削り込んで取付部１３や案内部１４を形成する場合等に比べて鋳肌を多く残せる。よって、錆の発生を最小限に抑えられる。
【００４４】
さらに、取付部１３と案内部１４とを一体形成して階段状に多段リブ１２を形成してあるため、取付部１３と案内部１４とが互いに補強し合って、多段リブ１２全体としての駆動軸芯Ｘ方向の剛性及び周方向の剛性が高まる。
【００４５】
なお、駆動スプロケット２をハブ１に対して相対回転させる手法及びスライド移動させる手法を以下に示す。まず、ナットｎを緩めて、ボルトｂ２をディスク取付孔１９及びハブ取付孔２２から抜き出し、ハブ１とディスク２Ｂ（駆動スプロケット２）との連結を解除する（図６参照）。この状態となると、ディスク２Ｂ（駆動スプロケット２）はハブに対して、駆動軸芯Ｘ回りに相対回転自在かつ駆動軸芯Ｘに沿ってスライド移動自在となる。
【００４６】
トレッドを広げる（例えば、「ＷＳ」から「ＷＭ」または「ＷＬ」にする）場合は、先ず、エンジンの駆動力によって後車軸ＢＸを前進方向（多段リブ１２の向きによっては後進方向）に回転させる。ハブ１と駆動スプロケット２とが連結されていないため、駆動スプロケット２は、クローラベルト９と地面との間の静止摩擦によって回転せず、ハブ１がディスク２Ｂ（駆動スプロケット２）に対して相対回転する。これにより、ハブ取付孔２２と目標とする取付面（１３ｂまたは１３ｃ）におけるディスク取付孔１９との周方向の位置合わせをする。
【００４７】
次に、図２２乃至図２４に示すごとく、連結具によって駆動スプロケット２をトラックフレーム３と一時的に連結し、後述する油圧シリンダ５によるトラックフレーム３のスライド移動を利用して、駆動スプロケット２をハブ１に対して駆動軸芯Ｘ方向にスライド移動させる。連結具は、図２４に示すごとく、ディスク２Ｂに形成した長孔状の連結孔２４に取り付ける上部材６２と、トラックフレーム３の上部に立設されたリブ部６１に取り付ける下部材６３と、上部材６２と下部材６３とを連結する棒部材６４と、を備えている。
【００４８】
下部材６３は、円筒状のボス部６３ａと、ボス部６３ａに接合された長板状の軸部６３ｂとを備えている。軸部６３ｂの先端部には、リブ部６１に穿孔された二つの取付孔に対応する二つの取付孔が穿孔されている。軸部６３ｂの先端部をリブ部６１に面合わせした状態で、リブ部６１及び軸部６３ｂの一方の取付孔同士をピンと抜け止めピンとからなる締結具６６で連結し、リブ部６１及び軸部６３ｂの他方の取付孔同士を蝶ボルトと蝶ナットとからなる締結具６７で連結する。これにより、下部材６３はトラックフレーム３に固定される。この状態において、ボス部６３ａの中心軸は、図２２に示すごとく、駆動スプロケット２の中心（駆動軸芯Ｘ）方向を向く。締結具６６のピンは、締結具６７の蝶ボルトに駆動軸芯方向の無理な力が作用するのを防止し、締結具６７は、リブ部６１に対する下部材６３の前後方向のガタツキを抑える。なお、両締結具６６，６７を共に、蝶ボルト及び蝶ナットで構成してあっても良い。
【００４９】
上部材６２は、円筒状のボス部６２ａと、連結孔２４に対して駆動軸芯Ｘ方向に係止可能な係止部６２ｃと、ボス部６２ａと係止部６２ｃとに両端部を接合された棒状の軸部６２ｂとを備えている。係止部６２ｃは、断面Ｈ字形状となるように、駆動軸芯Ｘ方向に対向する二つの長方形部材を備えた部材である。駆動軸芯Ｘ方向における二つの長方形部材の離間距離は、ディスク２Ｂの厚みよりもやや大きく設定してある。また、側面視において、長方形部材の一方の辺長は連結孔２４の径方向の幅よりも大きく、長方形部材の他方の辺長は連結孔２４の径方向の幅よりも小さく設定してある。図２３及び図２４に示すごとく、二つのプレートの間にディスク２Ｂが位置するまで係止部６２ｃを連結孔２４に挿入し、上部材６２を軸部６２ｂ回りに回転させると、係止部６２ｃが連結孔２４に係止する。この状態で、蝶ボルト６５を外側の長方形部材に締め込んで、蝶ボルト６５の先端部と内側の長方形部材とでディスク２Ｂを挟持する。これにより、上部材６２はディスク２Ｂに固定される。
【００５０】
棒部材６４を取り付けるときは、蝶ボルト６５を完全に締め付けずに、上部材６２の軸部６２ｂ回りの回転と連結孔２４に沿った移動とを多少許容する状態として、ボス部６２ａに上方から棒部材６４を挿入する。そして、軸部６２ｂ回りに棒部材６４を前後に揺動させて、棒部材６４の下端をさらにボス部６３ａに挿入する。最後に、蝶ボルト６５を完全に締め付けて上部材６２をディスク２Ｂに固定すると共に、蝶ボルト６８をボス部６２ａ及びボス部６３ａに締め付けて、棒部材６４によって上部材６２と下部材６３とを連結する。なお、棒部材６４の上端部には突起部６４ａを形成してあるので、突起部６４ａがボス部６２ａの上端部に係止し、棒部材６４がボス部６２ａから抜け落ちることはない。
【００５１】
トレッドを狭める（例えば、「ＷＬ」から「ＷＭ」または「ＷＳ」にする）場合は、トレッドを広げる場合と逆に、駆動スプロケット２をハブ１に対して、先ず駆動軸芯Ｘ方向にスライド移動させてから、相対回転させる。
【００５２】
図２２に示すごとく、側面視において、締結具は、駆動軸芯Ｘを挟んで、クローラ走行装置Ｒの三角形状の頂点付近と、三角形状の底辺付近とを連結するので、トラックフレーム３及び連結具を介して、油圧シリンダ５の押し引き力を効率よく駆動スプロケット２に伝達でき、駆動スプロケット２を円滑にスライド移動させられる。
【００５３】
また、ボス部６３ａの中心軸の向きが一義的に決まるので、連結具を取り付けるためには、ボス部６２ａもある程度定位置に配置しなければならない。しかし、連結孔２４をディスク２Ｂの周方向に沿った長孔としてあるので、ボス部６３ａに対するボス部６２ａの位置を連結孔２４の範囲で移動させられ、調整がし易い。
【００５４】
なお、ハブ１への連結を解除した駆動スプロケット２は手動でも回転及びスライド移動可能であり、上述の手法において、ディスク取付孔１９とハブ取付孔２２との周方向における位置の微調整等を手動で行うことや、駆動スプロケット２のハブ１に対する回転及びスライド移動自体を手動で行うことも可能である。
【００５５】
〔トラックフレームの構成〕
トラックフレーム３は、図２、図７、図８に示すごとく、後車軸ケースＢＣに支持され、駆動軸芯Ｘと平行な揺動軸芯Ｙ回りに揺動自在、かつ、揺動軸芯Ｙ方向にスライド移動自在である。トラックフレーム３の支持構成について、以下に詳述する。
【００５６】
後車軸ケースＢＣの下部に、揺動軸芯Ｙに沿った筒状の支持筒体４１を支持してある。なお、揺動軸芯Ｙは、駆動軸芯Ｘの下方かつやや前方に設定してある。支持筒体４１は、後車軸ケースＢＣから吊り下げ固定した連結部材４２等によって支持固定されている。連結部材４２の背面側には、ロアリンク用の不図示の振れ止めリンクの端部を連結するリンク取付部材４８を取り付けてある。
【００５７】
トラックフレーム３の上部に、揺動軸芯Ｙ方向内側に向けて平行に延出する二つの延設台３１を、片持ち状態かつ前後に間隔をおいて並列に固定支持してある。延設台３１の揺動軸芯Ｙ方向外側端部付近と揺動軸芯Ｙ方向内側端部付近とにおいて、延設台３１の上部に、略三角形状かつ板状の支持板３２を、前後の延設台３１に亘るよう、かつ、揺動軸芯Ｙに直交するよう、夫々立設してある。二つの支持板３２の間隔は、支持筒体４１の揺動軸芯Ｙ方向の長さよりも広く設定してある。
【００５８】
トラックフレーム３を後車軸ケースＢＣに支持する手順としては、図８に示すごとく、先ず、二つの支持板３２の間に支持筒体４１を配置した状態で、支持筒体４１よりも揺動軸芯Ｙ方向に長い円柱状の揺動軸４を、揺動軸芯Ｙ方向外側から、支持板３２に形成した円形の孔及び支持筒体４１に挿通する。支持板３２の孔と支持筒体４１との内径は、揺動軸４の外径よりも僅かに大きく設定してある。揺動軸４は、支持筒体４１に対して、揺動軸芯Ｙ回りに回転自在かつ揺動軸芯Ｙ方向にスライド移動自在である。揺動軸４の揺動軸芯Ｙ方向外側端部に、板状の固定板４３を、少なくとも揺動軸芯Ｙ方向に移動できない状態で支持してある。固定板４３と揺動軸芯Ｙ方向外側の支持板３２とをボルト固定して、延設台３１と支持板３２とを介してトラックフレーム３を揺動軸４に支持する。
【００５９】
以上の構成により、トラックフレーム３は、揺動軸芯Ｙ回りに揺動自在であると共に、支持筒体４１の長さと二つの支持板３２の離間距離との差の分だけ、揺動軸４と一体となって揺動軸芯Ｙに沿ってスライド移動自在である。
【００６０】
上述の駆動スプロケット２の駆動軸芯Ｘ方向の移動可能距離と整合するように、支持筒体４１の長さと二つの支持板３２の離間距離との差は、トレッド「ＷＳ」と「ＷＬ」との差に等しく設定してある。
【００６１】
なお、トラックフレーム３の過度の揺動を規制するために、図３、図８、図１２、及び、図１３に示すごとく、リブ部材３９とブロック部材４９とを備えている。リブ部材３９は、揺動軸芯Ｙの前側と後側とに夫々設けられ（図１２参照）、二つの支持板３２の前下側部分同士と後下側部分同士に亘って取り付けられている（図３及び図８参照）。夫々のリブ部材３９は、トラックフレーム３が水平のときに、水平面に対して前下がりまたは後下がりにやや傾斜するような状態で取り付けてある（図１２参照）。ブロック部材４９は、揺動軸芯Ｙの前側と後側とに夫々設けられ（図１２参照）、支持筒体４１の揺動軸芯Ｙ方向外側の前側部及び後側部に取り付けられている（図３及び図８参照）。夫々のブロック部材４９は、水平面と平行な状態で取り付けてある（図１２参照）。
【００６２】
トラックフレーム３が揺動軸芯Ｙ回りに揺動すると、リブ部材３９はトラックフレーム３と共に揺動軸芯Ｙ回りに機体Ｍに対して相対的に揺動するが、ブロック部材４９は後車軸ケースＢＣの側の部材であるので、機体Ｍに対して相対的に移動しない。したがって、図１３（ａ）に示すごとく、トラックフレーム３が後方に揺動すると、後側のリブ部材３９が後側のブロック部材４９に接近する。後側のリブ部材３９の上面が後側のブロック部材４９の下面に接触すると、トラックフレーム３のそれ以上の後方への揺動は規制される。同様に、トラックフレーム３が前方に揺動して、前側のリブ部材３９の上面が前側のブロック部材４９の下面に接触すると、トラックフレーム３のそれ以上の前方への揺動は規制される（図１３（ｂ）参照）。
【００６３】
トラックフレーム３が水平な状態（図１２参照）におけるリブ部材３９の水平面に対する傾きは、リブ部材３９がブロック部材４９と接触するときに、リブ部材３９の上面が水平となってブロック部材４９の下面に面接触するように設定してある。即ち、リブ部材３９の水平面に対する傾きは、トラックフレーム３の前方または後方への揺動角と等しい。このように、広い面積でリブ部材３９とブロック部材４９とが接触するので、両部材の磨耗や欠損を軽減でき、揺動可能な範囲を一定に保つことができる。なお、リブ部材３９は支持板３２の揺動軸芯Ｙ方向の剛性を高める作用も奏する。
【００６４】
図７に示すごとく、左右のトラックフレーム３の間に油圧シリンダ５を配設してあり、油圧シリンダ５の伸縮によってトラックフレーム３をスライド操作する。ただし、油圧シリンダ５の作用のみによって、トラックフレーム３をトレッド「ＷＳ」、「ＷＭ」、「ＷＬ」の夫々に対応する位置に精度良く位置合わせするには、フィードバック制御を行ったり、位置センサを設けたりする必要があり、構造が複雑になる。また、油圧シリンダ５の作用のみによって、トラックフレーム３の揺動軸芯Ｙ方向の位置を保持するには、油圧を送り続ける必要があり、効率が悪い。
【００６５】
そこで、トラックフレーム３の揺動軸芯Ｙ方向の位置合わせ及び位置固定の手段として、揺動軸４に外装可能な第一カラー４４及び第二カラー４５を備えている。第一カラー４４の揺動軸芯Ｙ方向の長さは、トレッド「ＷＭ」と「ＷＬ」との差に等しく設定してある。第二カラー４５の揺動軸芯Ｙ方向の長さは、トレッド「ＷＳ」と「ＷＭ」との差に等しく設定してある。即ち、第一カラー４４と第二カラー４５との揺動軸芯Ｙ方向の長さの合計は、支持筒体４１の長さと二つの支持板３２の離間距離との差に等しい。
【００６６】
例えば、トレッドを「ＷＬ（図１０参照）」から「ＷＳ（図３参照）」に変更する場合は、第一カラー４４及び第二カラー４５を揺動軸４から取り外して、揺動軸芯Ｙ方向外側の支持板３２が支持筒体４１に当接するまで、トラックフレーム３をスライド操作する。すると、図３に示すごとく、トレッドは「ＷＳ」となって、支持筒体４１と揺動軸芯Ｙ方向内側の支持板３２との間には第一カラー４４及び第二カラー４５の長さの合計分の隙間が空く。よって、この隙間において、第一カラー４４及び第二カラー４５を揺動軸４に外装すると、支持筒体４１に対する揺動軸４の揺動軸芯Ｙ方向の移動が規制される。この結果、トラックフレーム３の揺動軸芯Ｙ方向の位置も固定され、トレッドは「ＷＳ」に維持される。
【００６７】
トレッドを「ＷＳ（図３参照）」から「ＷＭ（図９参照）」に変更する場合は、第二カラー４５のみを揺動軸４から取り外して、第一カラー４４が支持筒体４１に当接するまで、トラックフレーム３をスライド操作する。すると、図９に示すごとく、トレッドは「ＷＭ」となって、支持筒体４１と揺動軸芯Ｙ方向外側の支持板３２との間には第二カラー４５の長さ分の隙間が空く。よって、この隙間において、第二カラー４５を揺動軸４に外装すると、支持筒体４１に対する揺動軸４の揺動軸芯Ｙ方向の移動が規制される。この結果、トラックフレーム３の揺動軸芯Ｙ方向の位置も固定され、トレッドは「ＷＭ」に維持される。
【００６８】
トレッドを「ＷＭ（図９参照）」から「ＷＬ（図１０参照）」に変更する場合は、第一カラー４４のみを揺動軸４から取り外して、揺動軸芯Ｙ方向内側の支持板３２が支持筒体４１に当接するまで、トラックフレーム３をスライド操作する。すると、図１０に示すごとく、トレッドは「ＷＬ」となって、支持筒体４１と揺動軸芯Ｙ方向外側の支持板３２との間には第一カラー４４の長さ分の隙間が空く。よって、この隙間において、第一カラー４４を揺動軸４に外装すると、支持筒体４１に対する揺動軸４の揺動軸芯Ｙ方向の移動が規制される。この結果、トラックフレーム３の揺動軸芯Ｙ方向の位置も固定され、トレッドは「ＷＬ」に維持される。
【００６９】
以上の構成によれば、油圧シリンダ５の伸縮操作と第一カラー４４及び第二カラー４５の着脱とだけで、簡単にトラックフレーム３の揺動軸芯Ｙ方向の位置を段階的に変更することができると共に、その位置を簡単に固定できる。また、従来のようにクローラベルト９を取り外して左右反転させるといった大掛かりな作業が不要となり、クローラ走行装置Ｒのトレッドを変更する作業が大幅に簡素化される。
【００７０】
なお、第一カラー４４と第二カラー４５とは、図８に示すごとく、夫々、半割カラー４４ａ及び半割カラー４４ｃ、半割カラー４５ａ及び半割カラー４５ｃに分割可能である。よって、揺動軸４を支持筒体４１から抜き出すことなく、カラー及びカラーを自由に揺動軸４に着脱できる。第一カラー４４及び第二カラー４５の分割構成については後述する。
【００７１】
また、第一カラー４４と第二カラー４５との長さが異なる場合は、トレッドを「ＷＭ」とする手順において、両者を内外反対に配置すると、「ＷＭ」とは別の中間トレッドを設定することが可能である。この場合、駆動スプロケット２の側においては、突出部２１と取付部１３との間にスペーサを介装することにより、駆動スプロケット２を中間トレッドに対応する位置に固定できる。即ち、様々な長さのカラーとハブ１における上述のスペーサとの組合せによれば、ハブ１を同じものとしながらも、トレッドを各種幅に変更できる。
【００７２】
〔油圧シリンダの支持構成〕
油圧シリンダ５の支持構成について、図７、及び、図８、図１１乃至図１３に基づいて詳述する。油圧シリンダ５は、複動式の油圧シリンダ５であって、図８及び図１１に示すごとく、シリンダチューブ５１と、シリンダチューブ５１に内挿されたロッド５２とを備えている。ボトム側ポート５３からシリンダチューブ５１内のオイルを排出しつつ、ロッド側ポート５４からシリンダチューブ５１内にオイルを供給すると、油圧シリンダ５は収縮する。ロッド側ポート５４からシリンダチューブ５１内のオイルを排出しつつ、ボトム側ポート５３からシリンダチューブ５１内にオイルを供給すると、油圧シリンダ５は伸長する。
【００７３】
ボトム側ポート５３及びロッド側ポート５４は、機体Ｍの後部に備えられた不図示の補助コントロール用のバルブとホースＨによって夫々接続可能である。このバルブには、不図示のエンジンにより駆動される不図示のポンプからのオイルが給排される構成となっており、キャビンＣの内部に設けた不図示の専用のレバーを操作することによってこの油圧制御を行う。なお、既存の補助コントロールバルブのオイルを使用するので、油圧回路を変更する必要はない。
【００７４】
油圧シリンダ５は、図７に示すごとく、右側の揺動軸４と左側の揺動軸４との間に入り込んだミッションケースＭＣの下方突出部分をかわして、ミッションケースＭＣの下方突出部分と油圧シリンダ５との間にホースＨ等の配置用空間を形成できるように、ミッションケースＭＣの下側において、揺動軸芯Ｙとは異なる軸芯Ｚに沿って配設してある。油圧シリンダ５は、左右のトラックフレーム３の間に亘って配設され、一方の端部であるボトム５１ａを左側の延設台３１に、また、他方の端部であるロッドヘッド５２ａを右側の延設台３１に、トラックフレーム３の揺動軸芯Ｙ回りの揺動を許容する融通機構３３を介して夫々接続してある。なお、油圧シリンダ５は保護カバー５ａで覆ってある。保護カバー５ａは、側面視での断面形状がＵ字形状に形成され、ミッションケースＭＣの下側に固定してある。
【００７５】
融通機構３３は、油圧シリンダ５のボトム５１ａ及びロッドヘッド５２ａに取り付けられた頭付ピン３５と、トラックフレーム３に固定された二つの板状の取付部材３４とを備えている。二つの取付部材３４は、図７及び図１１に示すごとく、前後の延設台３１の軸芯Ｚ方向内側部分の上面に夫々立設され、軸芯Ｚ方向外側の部分を軸芯Ｚ方向内側の支持板３２に接合してある。このように、二つの取付部材３４は、互いに機体前後方向に対向した状態でトラックフレーム３に固定されている。夫々の取付部材３４には、図７及び図１２に示すごとく、機体上下方向に沿った長孔３４ａを形成してある。
【００７６】
左側の延設台３１の側においては、図８及び図１１に示すごとく、前後の取付部材３４の間に、油圧シリンダ５のボトム５１ａ及び位置決めリング３８を配置し、抜け止めリング３６と長孔３４ａと位置決めリング３８とボトム５１ａと長孔３４ａと抜け止めリング３６との順に頭付ピン３５を貫通させ、頭付ピン３５の端部に抜け止めピン３７を取り付けてある。頭付ピン３５の両端部は、油圧シリンダの両端部において、径方向に凸設された状態となっている。
【００７７】
抜け止めピン３７は、頭付ピン３５の頭部分から、前側の取付部材３４の前面と後側の取付部材３４の後面との離間距離よりも大きな距離を空けて取り付けられている。よって、頭付ピン３５の前後端は、長孔３４ａに沿って摺動し、取付部材３４に対して各別に上下方向に移動自在である。頭付ピン３５全体としては、取付部材３４に対して軸芯Ｚ方向に移動不能、かつ、前後方向及び上下方向に移動可能である。ボトム５１ａ及び位置決めリング３８は、前後の取付部材３４の間に略隙間のない状態で配設されている。
【００７８】
これにより、ボトム５１ａは、頭付ピン３５と長孔３４ａとを介して、取付部材３４に対して軸芯Ｚ回りに長孔３４ａの範囲内で相対回転自在である。左側のトラックフレーム３が機体Ｍに対して揺動軸芯Ｙ回りに揺動しても、ボトム５１ａは機体Ｍに対して回転しない。
【００７９】
右側の延設台３１の側においても、同様に、図１１及び図１２に示すごとく、前後の取付部材３４の間に、油圧シリンダ５のロッドヘッド５２ａと位置決めリング３８とを配置し、抜け止めリング３６と長孔３４ａと位置決めリング３８とロッドヘッド５２ａと長孔３４ａと抜け止めリング３６とに頭付ピン３５を貫通させ、頭付ピン３５の端部に抜け止めピン３７を取り付けてある。なお、右側の延設台３１の側においては、ロッドヘッド５２ａ及び位置決めリング３８は、前後の取付部材３４の間に一定の隙間を有する状態で配設されている。
【００８０】
これにより、ロッドヘッド５２ａも、ボトム５１ａと同様に、頭付ピン３５と長孔３４ａを介して、取付部材３４に対して軸芯Ｚ回りに長孔３４ａの範囲内で相対回転自在である。図１３（ａ）及び（ｂ）に示すごとく、右側のトラックフレーム３が機体Ｍに対して揺動軸芯Ｙ回りに揺動しても、ロッドヘッド５２ａは機体Ｍに対して回転しない。さらに、ロッドヘッド５２ａは、頭付ピン３５に沿って、取付部材３４に対して上述の一定の隙間の分だけ機体前後方向にスライド移動自在である。
【００８１】
左右のトラックフレーム３が各別に前後揺動すると、油圧シリンダ５には、軸芯Ｚ回りの捻り力と、前後方向へのせん断力とが作用する。しかし、本構成であると、ボトム５１ａ及びロッドヘッド５２ａは、取付部材３４に対して軸芯Ｚ回りで回転して、上述の軸芯Ｚ回りの捻り力を吸収する。さらに、ロッドヘッド５２ａは、取付部材３４に対して機体前後方向に移動して、上述のせん断力を吸収する。このように、融通機構３３がトラックフレーム３の自由な揺動を許容するので、油圧シリンダ５を揺動軸芯Ｙとは別の軸芯Ｚに沿って配設しても、油圧シリンダ５にこじれが生じることはない。
【００８２】
〔カラーの分割構成〕
第一カラー４４と第二カラー４５との分割構成について、図８及び図１４に基づいて詳述する。上述したように、第一カラー４４は、揺動軸芯Ｙに沿った面を分割面として、半円弧状の半割カラー４４ａ及び半割カラー４４ｃの二つの部材に分割されている。半割カラー４４ａの周方向の両端部には、分割面に沿った鍔部４４ｂを備えている。同様に、半割カラー４４ｃの周方向の両端部にも、分割面に沿った鍔部４４ｄを備えている。鍔部４４ｂと鍔部４４ｄとには、組付け用の孔を夫々設けてある。
【００８３】
第一カラー４４を揺動軸４に装着するときは、先ず、半割カラー４４ａと半割カラー４４ｃとを揺動軸４に外装して、鍔部４４ｂと鍔部４４ｄとを面合わせする。その状態で、一方の鍔部４４ｂと鍔部４４ｄとの組付け用の孔に、頭付ピン４６を貫通させ、頭付ピン４６のうち貫通方向側の端部に、貫通方向と直交する方向に抜け止めピン４７を挿入する。これにより、頭付ピン４６が抜け止めされ、半割カラー４４ａと半割カラー４４ｃとは、一方の端部同士が頭付ピン４６を支点として揺動軸芯Ｙと垂直な方向回りに互いに回転可能ながらも、揺動軸４から外れ落ちることはない。そして、他方の鍔部４４ｂと鍔部４４ｄとの組付け用の孔にボルトｂ１を締め込んで、半割カラー４４ａと半割カラー４４ｃとをカラー４４として一体化する。なお、頭付ピン４６でなくとも、頭なしのピンの両端部を抜け止めピン４７で抜け止めするような構成であっても良い。
【００８４】
また、第二カラー４５も、揺動軸芯Ｙに沿った面を分割面として、半割カラー４５ａ及び半割カラー４５ｃの二つの部材に分割されている。半割カラー４５ａに鍔部４５ｂを備え、半割カラー４５ｃに鍔部４５ｄを備え、第二カラー４５も、第一カラー４４と同様の構成で揺動軸４に対して着脱する。
【００８５】
本構成であると、半割カラー４４ａ（４５ａ）と半割カラー４４ｃ（４５ｃ）とを連結するときは、鍔部４４ｂ（４５ｂ）と鍔部４４ｄ（４５ｄ）とを連結した状態で第一カラー４４（第二カラー４５）を片手で支持して、もう一方の手で他方の鍔部４４ｂ（４５ｂ）と鍔部４４ｄ（４５ｄ）とのみをボルト締め（締結）するだけで良く、迅速な作業が可能となる。
【００８６】
また、第一カラー４４（第二カラー４５）は、一方の端部同士を固定しても、ボルト締め（締結）とは異なって仮止めのような状態であるので、揺動軸４回りに多少のガタがある。即ち、第一カラー４４（第二カラー４５）は揺動軸芯Ｙ回りに回転可能であるので、作業者の好みの位置まで第一カラー４４（第二カラー４５）を回転させれば、他方の端部同士のボルト締め（締結）作業を好適な状況で行える。したがって、例えば、揺動軸４が機体Ｍの下側の入り組んだ場所に配設されていても、片手で第一カラー４４（第二カラー４５）を保持し、近い位置で他方の手でボルト締め（締結）作業が行え、作業性が良い。
【００８７】
〔第一別実施形態〕
上述の実施形態においては、第一カラー４４（第二カラー４５）において、半割カラー４４ａ，４４ｃ（４５ａ，４５ｃ）の一方の端部同士を頭付ピン４６と抜け止めピン４７とによって連結したが、これに限られるものではない。例えば、図１５（ａ）及び（ｂ）に示すごとく、カラー１４４において、半割カラー１４４ｃの鍔部１４４ｄに備えた孔部１４４ｅに、他方の半割カラー１４４ａに備えたフック形状の鍔部１４４ｂを係止させて、半割カラー１４４ａと半割カラー１４４ｃとを連結しても良い。
【００８８】
この場合、半割カラー１４４ａと半割カラー１４４ｃとは、一方の端部同士が係止部分を支点として揺動軸芯Ｙと平行な方向回りに互い回転可能であって、ボルト締め（締結）とは異なって、仮止めのような状態となる。したがって、作業者の好みの位置までカラーを回転させれば、他方の鍔部１４４ｂと鍔部１４４ｄとを好適な状況でボルト締め（締結）できる。
【００８９】
〔第二別実施形態〕
上述の実施形態においては、取付部１３と案内部１４とを一体的に多段リブ１２としたが、これに限られるものではない。例えば、図１６及び図１７に示すごとく、取付部１１０を、第一取付面１１１ａを備えた第一リブ１１１と、第二取付面１１２ａを備えた第二リブ１１２と、第三取付面１１３ａを備えた第三リブ１１３とによって構成すると共に、案内部１１４を、駆動軸芯Ｘに沿った直線リブ状に構成しても良い。
【００９０】
この場合、案内部１１４の駆動軸芯Ｘ方向の最内側部分を径外方向に突起させて第一ストッパ１１６を形成する。したがって、第一ストッパ１１６によって、ディスク２Ｂがハブ１よりも駆動軸芯Ｘ方向内側に落ち込むことはない。また、案内部１１４によって、第一リブ１１１と、隣合う取付部１１０の第三リブ１１３とにおける駆動軸芯Ｘ方向の隙間が塞がれて、突出部２１を挿入する挿入口１１５が限定され、ディスク２Ｂが不測にハブ１から駆動軸芯Ｘ方向外側に抜け出すことはない。即ち、案内部１１４が上述の実施形態における「第二ストッパ」として作用する。
【００９１】
〔第三別実施形態〕
上述の実施形態においては、融通機構３３が、ボトム５１ａとロッドヘッド５２ａとを取付部材３４に対して軸芯Ｚ回りに回転可能とし、かつ、ロッドヘッド５２ａを取付部材３４に対して機体前後方向にスライド移動可能にする例について説明したが、これに限られるものではない。例えば、融通機構１３３に、揺動軸４に対して揺動軸芯Ｙ回りに回転自在に支持された取付部材１３６を備え、油圧シリンダ５のボトム５１ａとロッドヘッド５２ａを取付部材１３６に支持してあっても良い。この例について、図１８乃至図２１に基づいて説明する。
【００９２】
融通機構１３３は、図１８及び図１９に示すごとく、外側筒体１３４と内側筒体１３５と二つの取付部材１３６とを備えている。取付部材１３６は、機体前後方向に対向する状態で、外側筒体１３４の外周部の前側やや下部と後側やや下部とに固定してある。そして、前後の取付部材１３６の揺動軸芯Ｙ方向外側の部分同士を当接部材１３７で連結してある。外側筒体１３４には、内側筒体１３５を摺動可能に内挿してある。この状態で、揺動軸４の内側面に揺動軸芯Ｙ方向に沿って融通機構１３３をボルトｂ３によって固定してある。ボルトｂ３は内側筒体１３５のみを揺動軸４に押付け固定する。したがって、外側筒体１３４と取付部材１３６と当接部材１３７とは、外側筒体１３４の内周面が内側筒体１３５の外周面に沿って摺動することにより、ボルトｂ３を軸として揺動軸芯Ｙ回りに回転自在となる。なお、外側筒体には、グリスを外側筒体と内側筒体との間に注入するためのグリス注入バルブ１３９を備えてある。
【００９３】
図１８に示すごとく、右側の延設台３１の側において、前後の取付部材１３６の間にボトム５１ａを配置すると共に、図１８及び図２０に示すごとく、左側の延設台３１の側において、前後の取付部材１３６の間にロッドヘッド５２ａを配置し、ボトム５１ａ及びロッドヘッド５２ａをピン１３８によって夫々の取付部材１３６に支持してある。この結果、ボトム５１ａ及びロッドヘッド５２ａは、揺動軸芯Ｙ回りに揺動自在となって、図２１（ａ）及び（ｂ）に示すごとく、左右のトラックフレーム３が機体Ｍに対して揺動軸芯Ｙ回りに揺動しても、機体Ｍに対して殆ど揺動しない。
【００９４】
このように、融通機構１３３がトラックフレーム３の自由な揺動を許容するので、油圧シリンダ５を揺動軸芯Ｙとは別の軸芯に沿って配設しても、油圧シリンダ５にこじれが生じることはない。
【００９５】
なお、油圧シリンダ５が伸縮したとき、当接部材１３７を介して油圧シリンダ５の押し引き力がトラックフレーム３に伝達されるように構成してある。詳述すると、図１９に示すごとく、当接部材１３７に揺動軸芯Ｙ方向外側に向けてボルトｂ４を固定し、かつ、支持板３２にトラックフレーム３が揺動軸芯Ｙ回りに揺動したときのボルトｂ４の軌跡に沿った揺動用長孔１３２ａを形成してある。そして、ボルトｂ４の揺動用長孔１３２ａに沿った移動は許容し、かつ、ボルトｂ４の揺動軸芯Ｙ方向に沿った移動は規制するよう、ボルトｂ４を揺動用長孔１３２ａに挿通して、当接リング１４０を介装した状態でナットｎ締めしてある。
【００９６】
この結果、油圧シリンダ５が伸張したときは、当接部材１３７が支持板３２に当接して油圧シリンダ５の押し力がトラックフレーム３に伝達される。また、油圧シリンダ５が収縮したときは、当接リング１４０が支持板３２に当接して油圧シリンダ５の引き力がトラックフレーム３に伝達される。この結果、ボルトｂ３には油圧シリンダ５の押し引き力が殆ど作用せず、ボルトｂ３が曲がる等の虞がない。よって、ボトム５１ａ及びロッドヘッド５２ａは、揺動軸芯Ｙ回りに揺動自在な状態を維持し続けられる。
【００９７】
〔その他の別実施形態〕
（１）上述の実施形態においては、ハブ１の底部分を機体外側にした状態で、ハブ１を後車軸ＢＸに取り付けた例を示したが、これに限られるものではない。特に図示はしないが、例えば、ハブ１の底部分を機体内側にした状態で、ハブ１を後車軸ＢＸに取り付けても良い。また、ハブ１の底部分をハブ１の駆動軸芯Ｘ方向中間部に備えてあっても良い。
【００９８】
（２）上述の実施形態においては、ディスク２Ｂの突出部２１を取付部１３のうち駆動軸芯Ｘ方向内側の面に面合わせする構成としたが、これに限られるものではない。特に図示はしないが、例えば、ディスク２Ｂの突出部２１を取付部１３のうち駆動軸芯Ｘ方向外側の面に面合わせする構成としても良い。
【００９９】
（３）上述の実施形態においては、取付部１３が三段の取付面１３ａ，１３ｂ，１３ｃを備える構成としたが、二段以上であれば何段の取付面を備えていても良い。また、上述の実施形態においては、取付部１３（多段リブ１２）及び取付部１１０を五箇所形成してあるが、これらは四箇所以下または六箇所以上形成してあっても良い。
【０１００】
（４）上述の実施形態においては、取付部１３はハブ１の外周部１１から径外方向に突出させた例を示したが、これに限られるものではない。特に図示はしないが、例えば、ハブ１の外周部１１を径内方向に凹入させて取付部を構成しても良い。
【０１０１】
（５）上述の実施形態においては、後車軸ケースＢＣの側に支持筒体４１を備え、トラックフレーム３の側に揺動軸４を備えたが、これに限られるものではない。特に図示はしないが、例えば、後車軸ケースＢＣの側に揺動軸４を備え、トラックフレーム３の側に支持筒体４１を備えてあっても良い。この場合は、揺動軸４の両端を支持板３２を介して後車軸ケースＢＣに支持し、支持筒体４１を連結部材４２を介して延設台３１に支持する。
【０１０２】
（６）上述の実施形態においては、支持筒体４１及び揺動軸４を介して、トラックフレーム３を後車軸ケースＢＣに支持した例を示したが、これに限られるものではない。特に図示はしないが、例えば、トラックフレーム３を、後車軸ケースＢＣやミッションケースＭＣに直接、揺動軸芯Ｙ回りに揺動自在かつ揺動軸芯Ｙに沿ってスライド移動自在に支持してあっても良い。また、トラックフレーム３をミッションケースＭＣに支持してあっても良い。当然、駆動軸芯Ｘと揺動軸芯Ｙとを一致させることも可能である。
【０１０３】
（７）上述の実施形態において、内側筒体１３５を揺動軸４に取り付けた例を示したが、これに限られるものではない。特に図示はしないが、例えば、取付部材１３６が揺動軸芯Ｙ回りに揺動自在であるのならば、トラックフレーム３から立設した部材に内側筒体１３５を取付けてあっても構わない。
【０１０４】
（８）上述の実施形態においては、第一カラー４４等は、揺動軸芯Ｙに沿った面を分割面とし、分割面に沿った鍔部４４ｂ，４４ｄ，１４４ｂ，１４４ｄを備えた例を示したが、これに限られるものではない。特に図示はしないが、例えば、分割面と直交する面（揺動軸芯Ｙ方向に直交する面）に沿った鍔部を備えてあっても良い。また、半割カラーの一方の端部同士をヒンジで連結した構成としてあっても良い。
【０１０５】
（９）上述の実施形態においては、油圧シリンダ５によってトラックフレーム３を揺動軸芯Ｙ方向にスライド移動させる例を示したが、これに限られず、電気的構成によって伸縮する駆動装置によってトラックフレーム３をスライド移動させても良い。また、上述の油圧シリンダ５とは別に、同じ支持構成の油圧シリンダを備え、スライド力を補強しても良い。
【０１０６】
（１０）上述の実施形態では、軸芯Ｚを揺動軸芯Ｙのほぼ真下に設定したが、これに限られるものではない。軸芯Ｚは、揺動軸芯Ｙと異なる軸芯であれば、揺動軸芯Ｙとの前後関係、上下関係は何れの関係であっても良い。
【０１０７】
（１１）上述の実施形態では、カラー４４／４５／１４４において、他方の鍔部４４ｂ・４４ｄ／４５ｂ・４５ｄ／１４４ｂ・１４４ｄ同士をボルト締めする構成を示したが、これに限られず、締め付けによって他方の鍔部４４ｂ・４４ｄ／４５ｂ・４５ｄ／１４４ｂ・１４４ｄ同士を締結する構成であれば、他の構成であっても良い。
【産業上の利用可能性】
【０１０８】
本発明は、トラクタに限らず、他の作業車、例えば、コンバインやバックホウ等の作業車にも適用可能であり、また、クローラ走行装置だけでなく、タイヤ付きの前輪や後輪にも適用可能である。
【符号の説明】
【０１０９】
１        ハブ
２        駆動スプロケット（駆動輪）
３        トラックフレーム
６        前従動輪
７        後従動輪
８        遊転輪
９        クローラベルト
１１      外周部
１２ａ    外周面（摺動面）
１３      取付部
１３ａ    第一取付面
１３ｂ    第二取付面
１３ｃ    第三取付面
１４      案内部
１６ 第一ストッパ１６（ストッパ部）
２３      非連結部
１１０    取付部
１１１ａ  第一取付面
１１２ａ  第二取付面
１１３ａ  第三取付面
１１４    案内部
１１４ａ  外周面
Ｒ        クローラ走行装置
ＢＣ      後車軸ケース
ＢＸ      後車軸（車軸）
Ｘ        駆動軸芯
【図１】
0005563962.tif 000002
【図２】
0005563962.tif 000003
【図３】
0005563962.tif 000004
【図４】
0005563962.tif 000005
【図５】
0005563962.tif 000006
【図６】
0005563962.tif 000007
【図７】
0005563962.tif 000008
【図８】
0005563962.tif 000009
【図９】
0005563962.tif 000010
【図１０】
0005563962.tif 000011
【図１１】
0005563962.tif 000012
【図１２】
0005563962.tif 000013
【図１３】
0005563962.tif 000014
【図１４】
0005563962.tif 000015
【図１５】
0005563962.tif 000016
【図１６】
0005563962.tif 000017
【図１７】
0005563962.tif 000018
【図１８】
0005563962.tif 000019
【図１９】
0005563962.tif 000020
【図２０】
0005563962.tif 000021
【図２１】
0005563962.tif 000022
【図２２】
0005563962.tif 000023
【図２３】
0005563962.tif 000024
【図２４】
0005563962.tif 000025